(57)【要約】【課題】部品を共通化できるとともに、両面読取仕様と片面読取仕様とに容易に変更できる原稿搬送装置を提供する。【解決手段】原稿搬送装置は、搬送経路に沿って搬送される原稿の一方と他方の両方の面の画像が読み取られる両面読取仕様と一方の面の画像のみが読み取られる片面読取仕様とに共通に使用される。原稿搬送装置は、前記両面読取仕様の際に原稿の前記他方の面の画像の読み取りに必要な両面読取専用部材が収容される凹部５２と、前記片面読取仕様の際に前記凹部５２を閉止するカバー部材９０と、前記両面読取仕様の際には前記両面読取専用部材が着脱可能に支持され、前記片面読取仕様の際には前記カバー部材９０が着脱可能に支持される支持部５８と、を備えている。【選択図】図８
2018046453.tif 000002
【特許請求の範囲】
【請求項１】
搬送経路に沿って搬送される原稿の一方と他方の両方の面の画像が読み取られる両面読取仕様と一方の面の画像のみが読み取られる片面読取仕様とに共通に使用される原稿搬送装置であって、
前記両面読取仕様の際に前記他方の面の画像の読み取りに必要な両面読取専用部材が収容される凹部と、
前記片面読取仕様の際に前記凹部を閉止するカバー部材と、
前記両面読取仕様の際には前記両面読取専用部材が着脱可能に支持され、前記片面読取仕様の際には前記カバー部材が着脱可能に支持される支持部と、を備えていることを特徴とする原稿搬送装置。
【請求項２】
前記搬送経路に沿うように原稿を案内するガイド部材を備え、
前記両面読取専用部材は、前記他方の面の画像の読み取りタイミングを検出する原稿検知センサーであり、
該原稿検知センサーは、前記搬送経路を搬送される原稿が当接する当接片と、該当接片が回転可能に支持される回転軸とを有し、前記当接片に原稿が当接して前記回転軸を中心として回転することで原稿を検知するように設けられ、
前記凹部は、前記ガイド部材に設けられて、前記搬送経路に突出するように前記当接片が貫通するセンサー用開口部であり、
前記支持部は、前記ガイド部材から前記搬送経路とは反対側に突設されて、前記回転軸が支持される弾性変形可能な軸受部であることを特徴とする請求項１に記載の原稿搬送装置。
【請求項３】
前記他方の面の画像の読み取り時に原稿の搬送速度を安定させる搬送ローラーと、
該搬送ローラーを前記搬送経路に突出させる搬送ローラー用開口部と、を備え、
前記両面読取仕様の際には前記搬送ローラー用開口部から前記搬送ローラーが前記搬送経路に突出するように支持され、前記片面読取仕様の際には前記搬送ローラーが取り外されて前記搬送ローラー用開口部が前記カバー部材で閉止されることを特徴とする請求項１又は２に記載の原稿搬送装置。
【請求項４】
請求項１〜３のいずれか１項に記載の原稿搬送装置によって搬送された原稿の画像に基づいて画像を形成することを特徴とする画像形成装置。
【発明の詳細な説明】
【技術分野】
【０００１】
本発明は、原稿を搬送する原稿搬送装置及びこの原稿搬送装置を備える画像形成装置に関する。
【背景技術】
【０００２】
画像形成装置には、搬送経路に沿って原稿を搬送する原稿搬送装置が付設される場合がある。原稿搬送装置には搬送される原稿の画像を読み取る読取部が設けられ、読み取られた画像に基づいて、画像形成装置で用紙に画像が形成される。
【０００３】
このような原稿搬送装置には、特許文献１に記載されているように、搬送経路に沿って原稿を一度搬送することで、原稿の両面（表側の面と裏側の面）の画像が読み取られる両面読取仕様と、原稿の片面（表側の面）の画像のみが読み取られる片面読取仕様の両方に共通に使用されるものがある。この原稿搬送装置では、搬送経路に沿って原稿を案内するガイド部材に、両面読取仕様にのみ必要な部材が装着される収容部が形成されている。収容部に部材が装着されることで、片面読取仕様を両面読取仕様に変更できるようになっている。
【先行技術文献】
【特許文献】
【０００４】
【特許文献１】特開２００５−１６７４７７号公報
【発明の概要】
【発明が解決しようとする課題】
【０００５】
上記特許文献１に記載の原稿搬送装置には、片面読取仕様に変更した際に収容部を閉止する蓋部材が備えられている。この蓋部材は、収容部の周囲に設けられた段部に載置されて貼付されるようなっている。このため、蓋部材の着脱が容易ではなく、いったん片面仕様に変更された後で再度両面読取仕様に変更しづらいとう問題がある。
【０００６】
そこで、本発明は上記事情を考慮し、部品を可能な限り共通化できるとともに、両面読取仕様と片面読取仕様とに容易に変更できる原稿搬送装置及びこの原稿搬送装置を備える画像形成装置を提供することを目的とする。
【課題を解決するための手段】
【０００７】
上記目的を達成するため、本発明の原稿搬送装置は、搬送経路に沿って搬送される原稿の一方と他方の両方の面の画像が読み取られる両面読取仕様と一方の面の画像のみが読み取られる片面読取仕様とに共通に使用される原稿搬送装置であって、前記両面読取仕様の際に原稿の前記他方の面の画像の読み取りに必要な両面読取専用部材が収容される凹部と、前記片面読取仕様の際に前記凹部を閉止するカバー部材と、前記両面読取仕様の際には前記両面読取専用部材が着脱可能に支持され、前記片面読取仕様の際には前記カバー部材が着脱可能に支持される支持部と、を備えていることを特徴とする。
【０００８】
このような構成を採用することにより、両面読取仕様に必要な両面読取専用部材と片面読取仕様に必要なカバー部材とを支持部に着脱できるので、両面読取仕様と片面読取仕様とに可逆的に容易に変更することができる。
【０００９】
本発明の原稿搬送装置において、前記搬送経路に沿うように原稿を案内するガイド部材を備え、前記両面読取専用部材は、前記他方の面の画像の読み取りタイミングを検出する原稿検知センサーであり、該原稿検知センサーは、前記搬送経路を搬送される原稿が当接する当接片と、該当接片が回転可能に支持される回転軸とを有し、前記当接片に原稿が当接して前記回転軸を中心として回転することで原稿を検知するように設けられ、前記凹部は、前記ガイド部材に設けられて、前記搬送経路に突出するように前記当接片が貫通するセンサー用開口部であり、前記支持部は、前記ガイド部材から前記搬送経路とは反対側に突設されて、前記回転軸が支持される弾性変形可能な軸受部であることを特徴としても良い。
【００１０】
このような構成を採用することにより、両面読取仕様と片面読取仕様とにガイド部材を共通に使用することができるので、コストダウンが可能となる。また、原稿検知センサーとカバー板とを、軸受部の弾性変形によって容易に着脱できる。
【００１１】
本発明の原稿搬送装置において、前記他方の面の画像の読み取り時に原稿の搬送速度を安定させる搬送ローラーと、該搬送ローラーを前記搬送経路に突出させる搬送ローラー用開口部と、を備え、前記両面読取仕様の際には前記搬送ローラー用開口部から前記搬送ローラーが前記搬送経路に突出するように支持され、前記片面読取仕様の際には前記搬送ローラーが取り外されて前記搬送ローラー用開口部が前記カバー部材で閉止されることを特徴としても良い。
【００１２】
このような構成を採用することにより、搬送ローラー用開口部を閉止するための部品を別に設ける必要がないので、部品点数を削減できる。
【００１３】
本発明の画像形成装置は、上記のいずれかに記載の原稿搬送装置によって搬送された原稿の画像に基づいて画像を形成することを特徴とする。
【発明の効果】
【００１４】
本発明によれば、両面読取仕様に必要な両面読取専用部材と片面読取仕様に必要なカバー部材とを支持部に着脱可能に支持できるので、両面読取仕様と片面読取仕様とに可逆的に容易に変更することができる。
【図面の簡単な説明】
【００１５】
【図１】本発明の一実施形態に係る画像形成装置と原稿搬送装置とを模式的に示す正面図である。
【図２】本発明の一実施形態に係る原稿搬送装置において、原稿搬送読取ユニットを示す斜視図である。
【図３】本発明の一実施形態に係る原稿搬送装置において、両面読取仕様の搬送部を示す側断面図である。
【図４】本発明の一実施形態に係る原稿搬送装置において、片面読取仕様の搬送部を示す側断面図である。
【図５】本発明の一実施形態に係る原稿搬送装置において、両面読取仕様の搬送部を上方から見た斜視図である。
【図６】本発明の一実施形態に係る原稿搬送装置において、片面読取仕様の搬送部を上方から見た斜視図である。
【図７】本発明の一実施形態に係る原稿搬送装置において、両面読取仕様の搬送部を下方から見た斜視図である。
【図８】本発明の一実施形態に係る原稿搬送装置において、片面読取仕様の搬送部を下方から見た斜視図である。
【図９】本発明の一実施形態に係る原稿搬送装置において、第１カバー板を示す図であり、図９（Ａ）は上方から見た斜視図、図９（Ｂ）は下方から見た斜視図である。
【発明を実施するための形態】
【００１６】
以下、図面を参照しつつ、本発明の一実施形態に係る原稿搬送装置及び画像形成装置について説明する。
【００１７】
図１を参照して、カラープリンター１の全体の構成について説明する。図１はカラープリンターの全体構成を模式的に示す正面図である。以下、図１における紙面手前側をカラープリンターの正面側（前側）とし、左右方向はカラープリンター１を正面から見た方向を基準とする。
【００１８】
図１に示されるように、カラープリンター１は、画像形成装置２と、画像形成装置２の上方に配置される原稿搬送装置３と、を備えている。原稿搬送装置３は、原稿を自動的に搬送して、搬送された原稿の両面（表側の面及び裏側の面）の画像、あるいは、片面（表側の面）の画像を読み取る。画像形成装置２は、原稿搬送装置３で読み取られた画像に対応した画像を用紙の両面又は片面に形成する。
【００１９】
次に、図１と図２〜図４を参照して、原稿搬送装置３について説明する。図２は原稿搬送装置の原稿搬送ユニットの斜視図、図３は両面読取仕様の原稿搬送装置の搬送部の側断面図、図４は片面読取仕様の原稿搬送装置の搬送部の側断面図である。
【００２０】
図１に示されるように、原稿搬送装置３は、原稿を自動的に搬送して、搬送された原稿の一方の面（裏側の面）の画像を読み取る原稿搬送ユニット４と、搬送された原稿の他方の面（表側の面）の画像を読み取る読取ユニット５と、を有している。原稿搬送ユニット４は読取ユニット５の上方に配置されている。
【００２１】
まず、読取ユニット５について、図１と図３及び図４を参照して説明する。読取ユニット５は、図１に示されるように、画像形成装置２の上面に載置可能な、扁平な略直方体形状を有している。図３や図４に示されるように、読取ユニット５の上面の左端部には、原稿の搬送方向と直交する幅方向に沿って窓部１１が形成されている。窓部１１はコンタクトガラス１２で覆われている。窓部１１の下方には、原稿の表側の面の画像を読み取る表側読取用密着型イメージセンサー１３が備えられている。
【００２２】
次に、原稿搬送ユニット４について説明する。原稿搬送ユニット４は、図１や図２に示されるように、読取ユニット５の上面に装着されるベース部２０と、ベース部２０の上面の左半分に設けられて、用紙を所定の搬送方向に沿って搬送する搬送経路２１が形成される搬送部２２と、搬送部２２に支持されて、搬送される用紙が載置される原稿載置部２３と、を備えている。
【００２３】
ベース部２０は、読取ユニット５の上面に載置可能な部材である。図２に示されるように、ベース部２０には、読取ユニット５と互いに位置決めされる２本の脚部２０ａが形成されている。
【００２４】
図３や図４に示されるように、ベース部２０の左端部には、読取ユニット５の窓部１１に対向する窓部３１が形成されている。さらに、ベース部２０には、外ガイド板３２と排出トレイ３３とが、窓部３１の右側縁から連続して形成されている。外ガイド板３２は右上方向に傾斜して、搬送経路２１の外側のガイド面を形成している。ガイド面の右端部には、搬送ローラー収容凹部３４が形成されている。排出トレイ３３は、搬送ローラー収容凹部３４の下方から右上方向に緩やかに傾斜している。
【００２５】
搬送部２２は、前後方向に対向する前後の側板４１、４２と、前後の側板４１、４２間に設けられて、ガイド部材としての横向きＵ字状の断面形状を有する内ガイド板４３（図３、図４参照）と、前後の側板４１、４２の外面と内ガイド板４３の上面及び左面とを覆う外カバー４４と、を備えている。前後の側板４１、４２は、ベース部２０の前後両端縁のほぼ左半分に沿って立設されている。内ガイド板４３の幅方向両端縁は、前後の側板４１、４２の高さ方向中央部に固定されている。外カバー４４は、左端部が前後の側板４１、４２の左端部に回動可能に支持されている。
【００２６】
原稿載置部２３は、図２に示されるように、所定のサイズの用紙が載置可能な原稿載置面３７が形成された、長方形状の板状部材である。原稿載置面３７には、用紙の幅方向を整合するサイドカーソル３８が、幅方向にスライド可能に支持されている。原稿載置部２３は、搬送部２２に向かって下方に傾斜するように、前後の側板４１、４２に支持されている。
【００２７】
次に、搬送部２２について、図３及び図４と、図５〜図８を参照して詳細に説明する。図５は両面読取仕様における搬送部を上方から見た斜視図、図６は片面読取仕様における搬送部を上方から見た斜視図、図７は両面読取仕様における搬送部を下方から見た斜視図、図８は片面読取仕様における搬送部の下方から見た斜視図である。
【００２８】
図３や図４に示されるように、内ガイド板４３の外面には、搬送経路２１の内側の面を形成するガイド面４３ａが形成され、外カバー４４の内面には、搬送経路２１の外側の面を形成するガイド面４４ａが形成されている。搬送経路２１は、内ガイド板４３のガイド面４３ａと外カバー４４のガイド面４４ａとの間、及び、内ガイド板４３のガイド面４３ａとベース部２０に形成された外ガイド板３２のガイド面との間に、上方の入口２１ａから左方向に延び、下方に円弧状に湾曲した後、右方向に延びて入口２１ａの下方の出口２１ｂに達する横向きＵ字状に形成されている。
【００２９】
内ガイド板４３のガイド面について説明する。内ガイド板４３のガイド面４３ａには、搬送方向の上流側から順に、原稿載置面５０と、第１搬送ローラー用開口部５１と、原稿検知センサー用開口部５２（図５参照）と、読取センサー収容凹部５３と、第２搬送ローラー用開口部５４と、第３搬送ローラー用開口部５５と、押さえ部材収容凹部５６と、第４搬送ローラー用開口部５７と、が形成されている。
【００３０】
原稿載置面５０は、入口２１ａよりも搬送方向手前側に、原稿載置部２３に連続するように形成されて、原稿の先端部が載置されるようになっている。原稿載置面５０には、搬送方向に沿って複数のリブが形成されている。
【００３１】
第１〜第４搬送ローラー用開口部５１、５４、５５、５７は、用紙幅方向に所定の間隔を開けて形成される２つの矩形状開口を有している。第１搬送ローラー用開口部５１は、搬送経路２１の入口２１ａに形成されている。第２搬送ローラー用開口部５４は、搬送経路２１の湾曲部の手前側に形成されている。第３搬送ローラー用開口部５５は、搬送経路２１の湾曲部に形成されている。第４搬送ローラー用開口部５７は、搬送経路２１の出口２１ｂにおいて、ベース部２０の外ガイド板３２に形成された搬送ローラー収容凹部３４に、搬送経路２１を挟んで対向している。
【００３２】
原稿検知センサー用開口部５２は、図５や図６に示されるように、搬送方向に長い細長矩形状の開口であり、第１搬送ローラー用開口部５１の２つの開口の間の前寄りの部分に形成されている。また、内ガイド板４３の内側の面には、図７や図８に示されるように、検知センサー用開口部５２の幅方向両側から下方に突出する一対の軸受片５８が、軸受部として形成されている。一対の軸受片５８は弾性変形可能であり、幅方向に沿った同軸上にそれぞれ軸孔が開けられている。
【００３３】
図３や図４に示されるように、読取センサー収容凹部５３は、横長長方形状の側断面形状であり、幅方向に沿って形成されている。押さえ部材収容凹部５６は、横長長方形状の側断面形状であり、窓部３１に対向して幅方向に形成されている。
【００３４】
次に、外カバー４４の内ガイド面について説明する。外カバー４４は、両面読取仕様と片面読取仕様とで形状が異なっている。
【００３５】
まず、図３を参照して、両面読取仕様の外カバー４４について説明する。外カバー４４のガイド面には、搬送方向の上流側から順に、ホルダー収容凹部６０と、第１搬送ローラー収容凹部６１と、押さえローラー収容凹部６２と、第２搬送ローラー収容凹部６３と、第３搬送ローラー収容凹部６４と、が形成されている。
【００３６】
ホルダー収容凹部６０は、内ガイド板４３の原稿載置面５０の上方に形成されている。第１〜第３搬送ローラー収容凹部６１、６３、６４は、内ガイド板４３の第１〜第３搬送ローラー用開口部５１、５４、５５と搬送経路２１を挟んで対向している。押さえローラー収容凹部６２は、内ガイド板４３の読取センサー収容凹部５３と搬送経路２１を挟んで対向している。
【００３７】
図４を参照して、片面読取仕様の外カバー４４について説明する。外カバー４４のガイド面には、搬送方向の上流側から順に、ホルダー収容凹部６０と、第２搬送ローラー収容凹部６３と、第３搬送ローラー収容凹部６４と、が形成されている。
【００３８】
ホルダー収容凹部６０は、内ガイド板４３の原稿載置面５０の上方に形成されている。第２、第３搬送ローラー収容凹部６３、６４は、内ガイド板４３の第２、第３搬送ローラー用開口部５４、５５と搬送経路２１を挟んでそれぞれ対向している。
【００３９】
次に、両面読取仕様と片面読取仕様における搬送経路２１について、図３〜図８を参照して説明する。
【００４０】
まず、両面読取仕様の搬送経路について、図３、図５、図７を参照して説明する。搬送経路２１には、搬送方向上流側から順に、給紙ホルダー７０と、第１搬送ローラー対７１と、原稿検知センサー７２（図７参照）と、裏側読取用密着型イメージセンサー７３及び第１押さえ部材７４と、第２搬送ローラー対７５と、第３搬送ローラー対７６と、第２押さえ部材７７と、第４搬送ローラー対７８と、が配置されている。ここで、両面読取仕様のみに必要な部材は、第１搬送ローラー対７１と原稿検知センサー７２と裏側読取用密着型イメージセンサー７３である。
【００４１】
給紙ホルダー７０は、外カバー４４のホルダー収容凹部６０に収容されている。給紙ホルダー７０は、図５や図６に示されるように、下面が開口した略直方体状の箱状の部材である。給紙ホルダー７０は、左端部を貫通する駆動軸８１に、上下方向に揺動可能に支持されている。駆動軸８１の両端部は、前後の側板４１、４２に回転可能に支持されている。駆動軸８１と給紙ホルダー７０との間には、トルクリミッタ（図示省略）が介装されている。トルクリミッタは、駆動軸８１から給紙ホルダー７０に作用する回転トルクが一定値以下の場合には、駆動軸８１の回転を給紙ホルダー７０に伝達して給紙ホルダー７０を駆動軸８１と一体に回動させ、回転トルクが一定値を超えると、駆動軸８１を給紙ホルダー７０に対して空転させる。
【００４２】
給紙ホルダー７０には、給紙ローラー８２とピックアップローラー８３とが支持されている。給紙ローラー８２は、駆動軸８１にワンウェイクラッチ（図示省略）を介して回転可能に支持されている。ワンウェイクラッチは、駆動軸８１の搬送方向（図３、図４の時計周り方向）への回転は給紙ローラー８２に伝達して給紙ローラー８２と駆動軸８１とを一体に搬送方向に回転させる一方で、搬送方向に搬送される用紙に従動して給紙ローラー８２が搬送方向へ回転する場合には、給紙ローラー８２を駆動軸８１に対して空転させるように作用する。ピックアップローラー８３は、アイドルギアやタイミングベルト（図示省略）を介して駆動軸８１と連結されて、駆動軸８１の回転がピックアップローラー８３に伝達されるようになっている。
【００４３】
第１〜第４搬送ローラー対７１、７５、７６、７８は、駆動ローラー７１ａ、７５ａ、７６ａ、７８ａと従動ローラー７１ｂ、７５ｂ、７６ｂ、７８ｂとをそれぞれ有している。図３や図５に示されるように、各駆動ローラー７１ａ、７５ａ、７６ａ、７８ａは、第１〜第４搬送ローラー用開口部５１、５４、５５、５７からガイド面に露出するように、内ガイド板４３に回転可能に支持されている。第１〜第３搬送ローラー対７１、７５、７６の各従動ローラー７１ｂ、７５ｂ、７６ｂは、外カバー４４の第１〜第３搬送ローラー収容凹部６１、６３、６４に回転可能に支持されて、駆動ローラー７１ａ、７５ａ、７６ａに圧接されている。第４搬送ローラー対７８の従動ローラー７８ｂは、ベース部２０の外ガイド板３２に形成された搬送ローラー収容凹部３４に回転可能に支持されて、駆動ローラー７８ａに圧接されている。各駆動ローラーが回転することで、各従動ローラーは駆動ローラーの回転方向とは反対方向に従動回転する。
【００４４】
図７に示されるように、原稿検知センサー７２は、アクチュエータ８５と、光センサー８６と、を備えている。アクチュエータ８５は、回転軸８５ａと、回転軸８５ａと一体に回転する当接片８５ｂと、を有している。回転軸８５ａの両端部は、内ガイド板４３に形成された一対の軸受片５８の軸孔にそれぞれ回転可能に支持されている。当接片８５ｂは、原稿検知センサー用開口５２を通ってガイド面に突出する突出位置から、ガイド面から退避する退避位置へ向かって、搬送方向下流側に回動する。また、アクチュエータ８５は、突出位置に回動するように付勢部材（図示省略）によって付勢されている。搬送経路２１に沿って搬送される用紙の先端が当接片８５ｂに当接すると、アクチュエータ８５は付勢部材の付勢力に抗して退避位置へ回動する。
【００４５】
光センサー８６は、光線を発する発光部と、発光部から発せられた光線を受光する受光部と、を有している。光センサー８６は、退避位置に回動したアクチュエータ８５の当接片８５ｂが発光部と受光部を通過するように、内ガイド板４３の内面に取り付けられている。発光部から発せられる光線が当接片８５ｂによって遮られることで、搬送経路２１に原稿が搬送されたことが検知される。
【００４６】
図３に示されるように、裏側読取用密着型イメージセンサー７３は、内ガイド板４３の読取センサー収容凹部５３に収容されている。読取センサー収容凹部５３はコンタクトガラス８８で塞がれている。
【００４７】
第１押さえ部材７４は、幅方向に長い中空の扁平な直方体形状の部材である。第１押さえ部材７４は、外カバー４４の押さえローラー収容凹部６２に収容されて、付勢部材によって、コンタクトガラス８８に押圧されている。
【００４８】
第２押さえ部材７７は、幅方向に長い中空の扁平な直方体形状の部材である。第２押さえ部材７７は、内ガイド板４３の押さえ部材収容凹部５６に収容されて、付勢部材によって下方の窓部３１を通して読取ユニット５のコンタクトガラス１２に押圧されている。
【００４９】
次に、片面読取仕様の搬送経路２１について、図４と図６と図８とを参照して説明する。搬送経路２１には、搬送方向の上流側から順に、給紙ホルダー７０と、第１カバー板９０と、第２カバー板９１と、第２搬送ローラー対７５と、第３搬送ローラー対７６と、第２押さえ部材７７と、第４搬送ローラー対７８と、が配置されている。
【００５０】
給紙ホルダー７０と、第２〜第４搬送ローラー対７５、７６、７８と、第２押さえ部材７７と、は両面搬送仕様と同じである。一方で、片面読取仕様では、第１搬送ローラー対７１及び原稿検知センサー７２の代わりに第１カバー板９０が配置され、裏側読取用密着型イメージセンサー７３の代わりに第２カバー板９１が配置されている。
【００５１】
第１カバー板９０について、図９を参照して説明する。図９は第１カバー板を示す斜視図であり、図９（Ａ）は上方から見た斜視図、図９（Ｂ）は下方から見た斜視図である。
【００５２】
第１カバー板９０は、幅方向に長い板状部材であり、幅方向中央部の支持部９５と、支持部９５の幅方向両端の一対の第１閉止部９６と、を有している。支持部９５の左前隅部には、幅方向に間隔を開けて一対の開口９５ａが形成され、一対の開口９５ａの間に、台状部９５ｂが形成されている。台状部９５ｂの幅方向両側面には、一対の開口９５ａ内に突出する一対の支軸９７が同軸上に形成されている。台状部９５ｂの上面には、搬送方向に長い直方体状の第２閉止部９８が突設されている。
【００５３】
一対の第１閉止部９６は矩形状の平面形状を有し、支持部９５の幅方向両側縁の右半分から立ち上がる段部を介して、互いに反対方向に延設されている。一対の第１閉止部９６の上面と第２閉止部９８の上面とは、支持部９５の上面よりも高い同一高さに形成されている。
【００５４】
第１カバー板９０を内ガイド板４３に取り付ける際は、内ガイド板４３の内側から、一対の第１閉止部９６が第１搬送ローラー用開口部５１の一対の開口に対応するように位置決めする。そして、一対の支軸９７を一対の軸受片５８の内側を通すように嵌め込んで行くと、一対の軸受片５８は互いに外方向に弾性変形し始める。やがて、一対の第１閉止部９６が第１搬送ローラー用開口部５１の一対の開口に入り込むと同時に第２閉止部９８が原稿検知センサー用開校２に入り込むと、一対の軸受片５８が内側に弾性変形して各軸孔に各支軸９７が嵌合する。このように、第１搬送ローラー用開口部５１は第１閉止部９６で閉止され、原稿検知センサー用開口部５２は第２閉止部９８で閉止され、第１閉止部９６及び第２閉止部９８が搬送経路２１の内側のガイド面の一部を形成する。
【００５５】
第２カバー板９１は、読取センサー収容凹部５３を閉止することのできる形状の板状部材である。
【００５６】
上記構成を有する原稿搬送装置３において、両面読取仕様時と片面搬送仕様時の原稿搬送読取動作について説明する。いずれの仕様においても、スタンバイ時は、給紙ホルダー７０は駆動軸８１を中心として上方向に回動し、ピックアップローラー８３と原稿載置面５０との間にはスペースが開いている。このスペースを通して、原稿載置面５０と原稿載置部２３に用紙が載置される。載置された用紙は、一対のサイドカーソル３８によって幅方向に整合される。
【００５７】
まず、両面読取仕様時の原稿搬送読取動作について説明する。用紙搬送が開始されると、駆動軸８１が時計回り方向に回転し、給紙ホルダー７０が下方向に回転する。これにより、ピックアップローラー８３が原稿載置面５０に載置された用紙の上面に当接する。そして、駆動軸８１の回転によってピックアップローラー８３が図３の時計回り方向に回転して、最上位の用紙を搬送経路２１の方向に送り出す。また、駆動軸８１と共に給紙ローラー８２も時計回り方向に回転して、ピックアップローラー８３で送り出された用紙を搬送経路２１に送り出す。
【００５８】
送り出された用紙は、第１搬送ローラー対７１によって搬送力が与えられ、第１搬送ローラー対７１を通過した直後に、用紙の先端が、ガイド面から上方に突出しているアクチュエータ８５の当接片８５ｂに当接する。すると、アクチュエータ８５は付勢部材の付勢力に抗して搬送方向下流側へ回動し、当接片８５ｂが光センサー８６の発光部と受光部との間を通過する。これにより、光センサー８６によって用紙の先端が通過したことが検知される。
【００５９】
用紙の先端が通過したことが検知された後、所定のタイミングで裏側読取用密着型イメージセンサー７３によって用紙の裏側の画像が読み取られる。この際、第１搬送ローラー対７１によって安定した搬送速度で原稿が搬送され、且つ、第１押さえ部材７４によってコンタクトガラス８８に原稿が押圧されているので、裏側の画像を正確に読み取ることができる。
【００６０】
その後、原稿は第２〜第３搬送ローラー対７５、７６によって窓部３１に搬送され、窓部３１において読取ユニット５の表側読取用密着型イメージセンサー１３によって、原稿の表側の面の画像が読み取られる。この際も、原稿は第２押さえ部材７７によってコンタクトガラス１２に押圧されているので、表側の画像を正確に読み取ることができる。このように両面の画像が読み取られた後、原稿は第４搬送ローラー対７８によって排出トレイ３３に排出される。
【００６１】
次に、片面読取仕様の原稿搬送読取動作について説明する。両面読取仕様から片面読取仕様に変更する際は、外カバー４４を両面読取仕様（図３参照）から片面読取仕様（図４参照）に交換する。
【００６２】
そして、内ガイド板４３から、第１搬送ローラー対７１の駆動ローラー７１ａと、原稿検知センサー７２と、裏側読取用密着型イメージセンサー７３と、コンタクトガラス８８と、を取り外す。
【００６３】
そして、第１カバー板９０の一対の支軸９７を、前述のように内ガイド板４３の一対の軸受片５８に支持させ、図６に示されるように、一対の第１閉止部９６で第１搬送ローラー用開口部５１の一対の開口を閉止し第２閉止部９８で原稿検知センサー用開口部５２を閉止する。さらに、読取センサー収容凹部５３を第２カバー板９１で閉止する。このように、両面読取仕様にのみ必要な第１搬送ローラー対７１と原稿検知センサー７２とを取り外した後に残される第１搬送ローラー用開口部５１と原稿検知センサー用開口部５２を、第１カバー板９０の第１閉止部９６と第２閉止部９８でそれぞれ閉止する。
【００６４】
さらに、同様に両面読取仕様にのみ必要な裏側読取用密着型イメージセンサー７３とコンタクトガラス８８と、を取り外した後に残される読取センサー収容凹部５３を第２カバー板９１で閉止する。このように、第１カバー板９０及び第２カバー板９１で、内ガイド板４３のガイド面を形成することができる。
【００６５】
上記説明したように本発明の原稿搬送装置３においては、内ガイド板４３に形成した一対の軸受片５８に、両面読取仕様に必要な原稿検知センサー７２と、片面読取仕様に必要な第１カバー板９０と、が着脱可能に支持されるので、両面読取仕様から片面読取仕様に、あるいは、片面読取仕様から両面読取仕様に、容易に変更することができる。さらに、両面読取仕様と片面読取仕様とに内ガイド板４３を共通に使用することができるので、コストダウンが可能となる。
【００６６】
さらに、第１カバー板９０を一対の軸受片５８に支持させることで、原稿検知センサー用開口部５２のみでなく第１搬送ローラー用開口部５１も閉止するので、第１搬送ローラー用開口部５１を閉止するための部品を別に設ける必要がなく、部品点数を削減できる。
【００６７】
また、第１カバー板９０を内ガイド板４３の内側から装着するので、第１搬送ローラー対用開口部５１と原稿検知センサー用開口部５２以外のガイド面４３ａに第１カバー板９０が露出しない。このため、第１カバー板９０を装着しても、ガイド面４３ａに沿って用紙を円滑に搬送することができる。
【００６８】
さらに、上記した本発明の実施形態の説明は、本発明に係る原稿搬送装置及び画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６９】
１  カラープリンター
２  画像形成装置
３  原稿搬送装置
２１  搬送経路
４３  内ガイド板（ガイド部材）
５１  第１搬送ローラー用開口部
５２  原稿検知センサー用開口部（凹部）
５８  軸受片（支持部、軸受部）
７１  第１搬送ローラー
７２  原稿検知センサー（両面読取専用部材）
８５ａ  当接片
８５ｂ  回転軸
９０  第１カバー板（カバー部材）
【図１】
2018046453.tif 000003
【図２】
2018046453.tif 000004
【図３】
2018046453.tif 000005
【図４】
2018046453.tif 000006
【図５】
2018046453.tif 000007
【図６】
2018046453.tif 000008
【図７】
2018046453.tif 000009
【図８】
2018046453.tif 000010
【図９】
2018046453.tif 000011